(57)【要約】【課題】  前部座席用のディスプレイおよび後部座席用のディスプレイの表示を、安全運転を考慮した適切な状態に制御する。【解決手段】  前部の座席DS、PSよりも前方に、ディスプレイ２５Ｆと、リモコン光を受光する受光素子３１Ｆとを設ける。前部の座席DS、PS付近に、ディスプレイ２５Ｒと、リモコン光を受光する受光素子３１Ｒとを設ける。受光素子３１Ｆだけからリモコン信号が出力され、かつ、自動車が走行中のときには、ディスプレイ２５Ｆにおける表示を制限する。受光素子３１Ｆだけから遠隔操作信号が出力され、かつ、自動車が停止中のときには、ディスプレイ２５Ｆにおける表示の制限を解除する。少なくとも受光素子３１Ｒからリモコン信号が出力されたときには、そのリモコン信号に対応した信号処理の結果をディスプレイ２５Ｒに表示する。【選択図】  図３
2005136958.tif 000002
【特許請求の範囲】
【請求項１】
自動車の前部の座席よりも前方に設けられ、遠隔操作用の第１の送信機から出力される遠隔操作光を受光する第１の受光素子と、
上記前部の座席付近に設けられ、遠隔操作用の第２の送信機から出力される遠隔操作光を受光する第２の受光素子と、
上記前部の座席よりも前方に設けられた第１のディスプレイと、
上記前部の座席付近に設けられた第２のディスプレイと、
上記第１および第２の受光素子の出力信号にしたがって上記第１および第２のディスプレイにおける表示の制御を行う制御回路と
を有し、
上記表示の制御は、
上記第１の受光素子だけから遠隔操作信号が出力され、かつ、上記自動車が走行中のときには、上記第１のディスプレイにおける表示を制限し、
上記第１の受光素子だけから遠隔操作信号が出力され、かつ、上記自動車が停止中のときには、上記第１のディスプレイにおける表示の制限を解除し、
上記第１の受光素子および上記第２の受光素子のうち、少なくとも上記第２の受光素子から遠隔操作信号が出力されたときには、その遠隔素子信号に対応した信号処理の結果を上記第２のディスプレイに表示する制御である
ようにした車載用ビデオ装置。
【請求項２】
自動車の前部の座席よりも前方に設けられ、遠隔操作用の送信機から出力される遠隔操作光を受光する第１の受光素子と、
上記前部の座席付近に設けられ、上記送信機から出力される遠隔操作光を受光する第２の受光素子と、
上記前部の座席よりも前方に設けられた第１のディスプレイと、
上記前部の座席付近に設けられた第２のディスプレイと、
上記第１および第２の受光素子の出力信号にしたがって上記第１および第２のディスプレイにおける表示の制御を行う制御回路と
を有し、
上記表示の制御は、
上記第１の受光素子だけから遠隔操作信号が出力され、かつ、上記自動車が走行中のときには、上記第１のディスプレイにおける表示を制限し、
上記第１の受光素子だけから遠隔操作信号が出力され、かつ、上記自動車が停止中のときには、上記第１のディスプレイにおける表示の制限を解除し、
上記第１の受光素子および上記第２の受光素子のうち、少なくとも上記第２の受光素子から遠隔操作信号が出力されたときには、その遠隔素子信号に対応した信号処理の結果を上記第２のディスプレイに表示する制御である
ようにした車載用ビデオ装置。
【請求項３】
請求項１あるいは請求項２に記載の車載用ビデオ装置において、
ビデオ信号を出力する機器を有し、
この機器から出力されるビデオ信号を上記第１および第２のディスプレイに供給するとともに、
上記第１のディスプレイに供給されるビデオに対して、上記表示の制限およびその解除を実行する
ようにした車載用ビデオ装置。
【請求項４】
請求項１、請求項２あるいは請求項３に記載の車載用ビデオ装置において、
上記第１の受光素子が上記第１のディスプレイの前部に設けられ、
上記第２の受光素子が上記第２のディスプレイの前部に設けられる
ようにした車載用ビデオ装置。
【発明の詳細な説明】
【技術分野】
【０００１】
この発明は車載用ビデオ装置に関する。
【背景技術】
【０００２】
自動車に搭載して利用するビデオ機器として、テレビチューナ、ＤＶＤプレーヤ、ナビゲーション装置などがあるが、これらのビデオ機器をシステム化するとともに、２台のディスプレイ（モニタ）に対応させたものがある。
【０００３】
図４は、２台のディスプレイを搭載した自動車内部の一例を示す平面図であり、ダッシュボードの中央付近に第１のディスプレイとしてカラーＬＣＤパネル２５Ｆが設けられ、運転席DSの運転者や助手席PSの搭乗者からＬＣＤパネル２５Ｆに表示される画像を見ることができるようにされている。また、助手席PSと運転席DSとの間であって両座席PS、DSの背もたれ付近に、第２のディスプレイとしてカラーＬＣＤパネル２５Ｒが設けられ、後部座席RSの搭乗者からＬＣＤパネル２５Ｒに表示される画像を見ることができるようにされている。
【０００４】
そして、自動車の走行中に、運転者が前部のＬＣＤパネル２５Ｆの画面に見入ったり、ナビゲーション装置の設定に気を取られたりすると、危険なので、ＬＣＤパネル２５Ｆの表示は、図５に示すように制御される。すなわち、自動車の走行中は、テレビ放送やＤＶＤなどの再生画面（以下、「動画」と呼ぶ）の表示が禁止される。また、ナビゲーションのメニュー画面は表示内容が制限され、簡易メニューとされる。例えば、目的地やルートを設定するための操作は安全運転の妨げとなるので、そのような設定画面に入るための項目のない簡易メニューとされる。
【０００５】
しかし、自動車が停止している場合には、動画の表示が許可されるとともに、ナビゲーションのメニュー画面もすべての表示が許可され、標準メニューとされる。
【０００６】
なお、先行技術文献として例えば以下のものがある。
【特許文献１】特開２０００−２０５８８７号公報
【発明の開示】
【発明が解決しようとする課題】
【０００７】
ところが、上述のような車載用のビデオ装置においては、操作機能を機器本体で一元的に制御しているので、後部座席RSの搭乗者が操作を行ったとしても、ナビゲーションの操作や機器の詳細な設定などの機能に制限はかかったままとなっていた。
【０００８】
この発明は、このような問題点を解決しようとするものである。
【課題を解決するための手段】
【０００９】
この発明においては、
自動車の前部の座席よりも前方に設けられ、遠隔操作用の第１の送信機から出力される遠隔操作光を受光する第１の受光素子と、
上記前部の座席付近に設けられ、遠隔操作用の第２の送信機から出力される遠隔操作光を受光する第２の受光素子と、
上記前部の座席よりも前方に設けられた第１のディスプレイと、
上記前部の座席付近に設けられた第２のディスプレイと、
上記第１および第２の受光素子の出力信号にしたがって上記第１および第２のディスプレイにおける表示の制御を行う制御回路と
を有し、
上記表示の制御は、
上記第１の受光素子だけから遠隔操作信号が出力され、かつ、上記自動車が走行中のときには、上記第１のディスプレイにおける表示を制限し、
上記第１の受光素子だけから遠隔操作信号が出力され、かつ、上記自動車が停止中のときには、上記第１のディスプレイにおける表示の制限を解除し、
上記第１の受光素子および上記第２の受光素子のうち、少なくとも上記第２の受光素子から遠隔操作信号が出力されたときには、その遠隔素子信号に対応した信号処理の結果を上記第２のディスプレイに表示する制御である
ようにした車載用ビデオ装置
とするものである。
【発明の効果】
【００１０】
この発明によれば、自動車が走行中の場合には、前部の座席の搭乗者が第１のリモコン（遠隔操作）の送信機を操作しても、前部のディスプレイの表示内容は制限されるので、その表示内容が安全運転の妨げとなることがない。そして、停止中であれば、すべての表示を行うことができる。
【００１１】
また、後部の座席の搭乗者が、後部のディスプレイ用の第２のリモコン送信機を操作しても、前部のディスプレイの表示に影響を与えることがないので、この点からも安全運転の妨げとなることがない。
【００１２】
さらに、前部のディスプレイの表示と、後部のディスプレイの表示とを、第１のリモコン送信機と第２のリモコン送信機とにより独立に制御することができるとともに、そのとき、２つの送信機のどちらが操作されたのかを的確に判別することができる。しかも、第１のリモコン送信機と第２のリモコン送信機とは同一の構成のものでよく、搭乗者は両送信機を区別する必要がない。
【発明を実施するための最良の形態】
【００１３】
〔１〕  実施例の構成
図１は、この発明の一例を示すもので、この例においては、ビデオ機器として、テレビチューナ１１、ＤＶＤプレーヤ１２、ナビゲーション装置１３、メニュー信号形成回路１４を有する。
【００１４】
この場合、テレビチューナ１１はテレビ放送を受信してそのビデオ信号を出力するものであり、ＤＶＤプレーヤ１２はＤＶＤディスクを再生してビデオ信号を出力するものである。また、ナビゲーション装置１３は、ナビゲーション用の地図として表示されるビデオ信号を出力するものである。
【００１５】
さらに、メニュー信号形成回路１４は、マイクロコンピュータにより構成され、メニューとして表示される各種のビデオ信号を出力するとともに、表示内容に制限のある簡易メニューのビデオ信号を形成するモードと、すべてを表示する標準メニューのビデオ信号を形成するモードとを有する。なお、それぞれのビデオ信号は、３原色のベースバンド信号であるとする。
【００１６】
そして、テレビチューナ１１およびＤＶＤプレーヤ１２から出力されるビデオ信号が、スイッチ回路２１、２２を通じてセレクタ回路２３Ｆに供給され、ナビゲーション装置１３から出力されるビデオ信号がセレクタ回路２３Ｆに供給される。そして、セレクタ回路２３Ｆにおいて、これに供給されたビデオ信号のいずれか１つが選択され、この選択されたビデオ信号が合成回路２４Ｆに供給される。また、メニュー信号形成回路１４からメニュー表示用のビデオ信号が出力されるとき、そのビデオ信号が合成回路２４Ｆに供給される。
【００１７】
そして、合成回路２４Ｆにおいて、これに供給されたビデオ信号が合成され、その合成結果のビデオ信号が第１のディスプレイ、例えばカラーＬＣＤパネル２５Ｆに供給される。
【００１８】
さらに、テレビチューナ１１、ＤＶＤプレーヤ１２およびナビゲーション装置１３から出力されるビデオ信号がセレクタ回路２３Ｒに供給されていずれか１つのビデオ信号が選択され、この選択されたビデオ信号が合成回路２４Ｒに供給される。また、メニュー信号形成回路１４からメニューのビデオ信号が出力されるとき、そのビデオ信号も合成回路２４Ｒに供給される。そして、合成回路２４Ｒにおいて、これに供給されたビデオ信号が合成され、その合成結果のビデオ信号が第２のディスプレイ、例えばカラーＬＣＤパネル２５Ｒに供給される。
【００１９】
また、システム制御回路３０がマイクロコンピュータにより構成され、この制御回路３０には、赤外線リモコンの受光素子３１Ｆ、３１Ｒが接続される。なお、これら受光素子３１Ｆ、３１Ｒの設置場所については後述する。また、符号３２Ｆ、３２Ｒは、その赤外線リモコンの送信機を示すが、この送信機３２Ｆ、３２Ｒは同一の構成でよい。
【００２０】
さらに、パーキング信号Ｓpが制御回路３０に供給される。このパーキング信号Ｓpは自動車の停止中・走行中を示す信号であり、例えばオートマチック車であれば、パーキングポジション信号やサイドブレーキのオン信号である。この例においては、パーキングポジション信号を利用している。
【００２１】
そして、制御回路３０において、受光素子３１Ｆ、３１Ｒの出力信号およびパーキング信号Ｓpにしたがって第１〜第４の制御信号が形成され、そのうちの第１の制御信号がメニュー信号形成回路１４にモードを制御する信号として供給され、表示内容に制限のある簡易メニューのビデオ信号を形成するモードと、すべてを表示する標準メニューのビデオ信号を形成するモードとが選択される。
【００２２】
また、制御回路３０により形成された第２の制御信号がスイッチ回路２１、２２にそのオンオフを制御する信号として供給され、制御回路３０により形成された第３および第４の制御信号がセレクタ回路２３Ｆ、２３Ｒにビデオ信号を選択する信号として供給される。
【００２３】
さらに、制御回路３０を構成するマイクロコンピュータには、例えば図２に示すような表示制御ルーチン１００が用意される。このルーチン１００の詳細については後述するが、このルーチン１００は、リモコン送信機３２Ｆあるいは３２Ｒが操作され、したがって、受光素子３１Ｆあるいは３１Ｒからリモコン信号が出力されると、実行される。なお、図２においては、ルーチン１００は、この発明に関係する部分だけを抜粋して示している。
【００２４】
また、図３は、上述したシステムを搭載した自動車の内部の一例を示す平面図である。すなわち、ダッシュボードの中央付近に第１のカラーＬＣＤパネル２５Ｆが設けられ、運転席DSの運転者や助手席PSの搭乗者からＬＣＤパネル２５Ｆに表示される画像を見ることができるようにされている。また、助手席PSと運転席DSとの間であって両座席PS、DSの背もたれ付近に、第２のカラーＬＣＤパネル２５Ｒが設けられ、後部座席RSの搭乗者からＬＣＤパネル２５Ｒに表示される画像を見ることができるようにされている。
【００２５】
さらに、ＬＣＤパネル２５Ｆの前部に赤外線受光素子３１Ｆが設けられ、ＬＣＤパネル２５Ｒの前部に赤外線受光素子３１Ｒが設けられる。
【００２６】
〔２〕  実施例の動作
リモコン送信機３２Ｆあるいは３２Ｒを操作すると、受光素子３１Ｆあるいは３１Ｒからリモコン信号が出力されるので、制御回路３０において、ルーチン１００の処理が実行されるが、このとき、ルーチン１００は、リモコン送信機３２Ｆが操作されたのか、リモコン送信機３２Ｒが操作されたのかを判別し、その判別結果にしたがって、ＬＣＤパネル２５Ｆあるいは２５Ｒの表示内容を制御する。
【００２７】
すなわち、運転席DSあるいは助手席PSの搭乗者が送信機３２Ｆを操作した場合には、その送信機３２Ｆから出力される赤外線は受光素子３１Ｆにより受光されるが、受光素子３１Ｒにより受光されることはない。しかし、後部座席RSの搭乗者が送信機３２Ｒを操作した場合には、その送信機３２Ｒから出力される赤外線は受光素子３１Ｒにより受光されるが、受光素子３１Ｆおよび３２Ｒの両方により受光されることもある。
【００２８】
したがって、受光素子３１Ｆだけからリモコン信号が出力された場合は、運転席DSあるいは助手席PSの搭乗者が送信機３２Ｆを操作した場合である。また、受光素子３１Ｒからリモコン信号が出力された場合、および受光素子３１Ｆ、３１Ｒの両方からリモコン信号が出力された場合は、後部座席RSの搭乗者が送信機３２Ｒを操作した場合である。
【００２９】
そこで、ルーチン１００は、以上のことを利用して操作されたリモコン送信機が送信機３２Ｆであるか送信機３２Ｒであるかを判別し、ＬＣＤパネル２５Ｆあるいは２５Ｒの表示内容ないし表示状態を、以下のように制御する。
【００３０】
〔２−１〕  自動車の走行中に送信機３２Ｆを操作した場合
リモコン送信機３２Ｆを操作すると、受光素子３１Ｆからリモコン信号が出力されるので、制御回路３０において、ルーチン１００の処理がステップ１０１からスタートし、次にステップ１０２において、ルーチン１００の処理がスタートしたきっかけとなったリモコン信号が受光素子３１Ｆおよび３１Ｒのどちらから出力されたかが判別される。
【００３１】
そして、今の場合は、受光素子３１Ｆだけからリモコン信号が出力された場合（送信機３２Ｆが操作された場合）なので、処理はステップ１０２からステップ１０３に進み、このステップ１０３において、パーキング信号Ｓpをチェックすることにより、自動車が走行中であるか停止中であるかが判別される。
【００３２】
そして、今の場合、走行中なので、処理はステップ１０３からステップ１１１に進み、このステップ１１１において、スイッチ回路２１、２２がオフに制御されるとともに、メニュー信号形成回路１４は簡易メニューのビデオ信号を形成するモードに設定される。続いて、処理はステップ１１２に進み、このステップ１１２において、ルーチン１００が実行されるきかっけとなった送信機３２Ｆの操作に対応した信号処理が実行される。
【００３３】
すなわち、ルーチン１００が実行されるきかっけとなった送信機３２Ｆの操作が機器１１〜１３の選択であれば、その操作に対応してセレクタ回路２３Ｆが制御される。しかし、このとき、スイッチ回路２１、２２はオフとされている。したがって、セレクタ回路２３Ｆによりテレビチューナ１１あるいはＤＶＤプレーヤ１２から出力されるビデオ信号を選択しても、すなわち、動画を選択しても、その動画はＬＣＤパネル２５Ｆに表示されないことになる。
【００３４】
また、セレクタ回路２３Ｆによりナビゲーション装置１３から出力されるビデオ信号を選択したときには、そのビデオ信号はそのままＬＣＤパネル２５Ｆに供給され、ＬＣＤパネル２５Ｆには地図などが表示されることになる。さらに、メニューも簡易メニューの表示となる。
【００３５】
そして、ステップ１１２において、送信機３２Ｆの操作に対応した信号処理が実行されると、その後、ステップ１１３によりルーチン１００を終了する。
【００３６】
こうして、自動車の走行中に送信機３２Ｆを操作した場合には、すなわち、走行中に運転席DSあるいは助手席PSの搭乗者が送信機３２Ｆを操作した場合には、ＬＣＤパネル２５Ｆにおける動画の表示が禁止されるとともに、メニューの表示は簡易メニューの表示となる。
【００３７】
〔２−２〕  自動車の停止中に送信機３２Ｆを操作した場合
この場合も、制御回路３０において、ルーチン１００がステップ１０１からスタートし、ステップ１０２を通じてステップ１０３に進むが、今の場合、自動車は停止しているので、処理はステップ１０３からステップ１２１に進む。
【００３８】
そして、このステップ１２１において、スイッチ回路２１、２２がオンに制御されるとともに、メニュー信号形成回路１４は標準メニューのビデオ信号を形成するモードに設定される。続いて、処理はステップ１２２に進み、このステップ１２２において、ルーチン１００が実行されるきかっけとなった送信機３２Ｆの操作に対応した信号処理が実行される。
【００３９】
すなわち、ルーチン１００が実行されるきかっけとなった送信機３２Ｆの操作が機器１１〜１３の選択であれば、その操作に対応してセレクタ回路２３Ｆが制御されるとともに、このとき、スイッチ回路２１、２２はオンとされている。したがって、セレクタ回路２３Ｆによりテレビチューナ１１、ＤＶＤプレーヤ１２あるいはナビゲーション装置１３から出力されるビデオ信号を選択することができ、それらによる動画や地図がＬＣＤパネル２５Ｆに表示されることになる。さらに、メニューであれば、標準のメニューが表示される。
【００４０】
そして、ステップ１２２において、送信機３２Ｆの操作に対応した信号処理が実行されると、その後、ステップ１１３によりルーチン１００を終了する。
【００４１】
こうして、自動車の停止中に送信機３２Ｆを操作した場合には、すなわち、停止中に運転席DSあるいは助手席PSの搭乗者が送信機３２Ｆを操作した場合には、ＬＣＤパネル２５Ｆにおけるすべての表示が許可されるとともに、メニューの表示は標準メニューの表示となる。
【００４２】
〔２−３〕  自動車の走行中あるいは停止中に送信機３２Ｒを操作した場合
この場合も、制御回路３０において、ルーチン１００がステップ１０１からスタートし、ステップ１０２に進むが、今の場合、受光素子３１Ｆ（および３１Ｆ）からリモコン信号が出力された場合（送信機３２Ｒが操作された場合）なので、処理はステップ１０２からステップ１３２に進む。
【００４３】
このステップ１３２においては、ルーチン１００が実行されるきかっけとなった送信機３２Ｒの操作に対応した信号処理が実行される。すなわち、ルーチン１００が実行されるきかっけとなった送信機３２Ｒの操作が機器１１〜１３の選択であれば、その操作に対応してセレクタ回路２３Ｒが制御され、セレクタ回路２３Ｒからは機器１１、１２あるいは１３から出力されるビデオ信号が取り出され、それらによる動画や地図がＬＣＤパネル２５Ｒに表示される。さらに、メニューであれば、標準のメニューが表示される。
【００４４】
そして、ステップ１３２において、送信機３２Ｆの操作に対応した信号処理が実行されると、その後、ステップ１１３によりルーチン１００を終了する。つまり、後部の座席RSの搭乗者が送信機３２Ｒを操作した場合には、自動車の走行中・停止中にかかわらず、ＬＣＤパネル２５Ｒにおけるすべての表示が許可されるとともに、メニューの表示は標準メニューの表示となる。
【００４５】
〔３〕  まとめ
上述の装置によれば、自動車が走行中の場合には、運転席DSあるいは助手席PSの搭乗者が送信機３２Ｆを操作しても、ＬＣＤパネル２５Ｆの表示内容は制限されるので、ＬＣＤパネル２５Ｆの表示内容が安全運転の妨げとなることがない。そして、停止中であれば、すべての表示を行うことができる。
【００４６】
また、後部座席RSの搭乗者が、送信機３２Ｒを操作しても、ＬＣＤパネル２５Ｆの表示に影響を与えることがないので、この点からも安全運転の妨げとなることがない。
【００４７】
さらに、ＬＣＤパネル２５Ｆの表示と、ＬＣＤパネル２５Ｒの表示とを、送信機３２Ｆと送信機３２Ｒとにより独立に制御することができるとともに、そのとき、送信機３２Ｆおよび送信機３２Ｒのどちらが操作されたのかを的確に判別することができる。しかも、送信機３２Ｆと送信機３２Ｒとは同一の構成のものでよく、搭乗者は送信機３２Ｆと送信機３２Ｒとを区別する必要がない。このため、同一の送信機を運転席DS、助手席PSおよび後部座席RSで使用することができる。
【００４８】
なお、上述において、パーキング信号Ｓpは、例えばタイヤの回転を検出した信号を整形して得ることもでき、その場合には、ナビゲーション機器１３から取り出すこともできる。また、上述においては、走行中に前部の座席DS、PSの搭乗者が送信機３２Ｆを操作した場合には、動画の表示を禁止したが、このとき、「走行中はこの操作は禁止されています」などのメッセージを表示したり、音声あるいはビープ音などの警告音を出力したりすることもできる。
【００４９】
さらに、走行中に前部の座席DS、PSの搭乗者が送信機３２Ｆを操作した場合に禁止ないし制限する表示内容も、上述の例に限るものではなく、安全運転を考慮して決定すればよい。また、受光素子３１Ｆ、３１Ｒの設置場所も、送信機３２Ｆ、３２Ｒからの赤外線を判別できる場所であればよく、受光素子３１Ｒは前部の座席DS、PSの搭乗者よりも後方で、後部座席RSの搭乗者よりも前方に設置すればよい。さらに、ＬＣＤパネル２５Ｒは、前部の座席DS、PSの背もたれの後面に設けることもできる。
【００５０】
〔略語の一覧〕
ＬＣＤ  ：Liquid Crystal Display
リモコン：Remote Control
【図面の簡単な説明】
【００５１】
【図１】この発明の一形態を示す系統図である。
【図２】この発明の一形態を示すフローチャートである。
【図３】自動車内の一例を示す平面図である。
【図４】この発明を説明するための平面図である。
【図５】この発明を説明するための図である。
【符号の説明】
【００５２】
１１…テレビチューナ、１２…ＤＶＤプレーヤ、１３…ナビゲーション機器、１４…メニュー信号形成回路、２４Ｆおよび２４Ｒ…合成回路、２５Ｆおよび２５Ｒ…カラーＬＣＤパネル、３０…システム制御回路、３１Ｆおよび３１Ｒ…赤外線受光素子、３２Ｆおよび３２Ｒ…リモコン送信機
【図１】
2005136958.tif 000003
【図２】
2005136958.tif 000004
【図３】
2005136958.tif 000005
【図４】
2005136958.tif 000006
【図５】
2005136958.tif 000007